(57)【特許請求の範囲】
【請求項１】
分電盤の盤内中央に縦向き配線した主幹ブスバーに沿いその左右両側に配列してブスバーに接続した分岐ブレーカを盤内に固定する多連形のブレーカ取付台であって、台板上の左右両側に振り分けてブレーカ取付領域を設定し、かつ各領域ごとに分岐ブレーカの配列ピッチに合わせて上下段に並ぶブレーカ係止爪を切り起こし形成するとともに、各極の相互間には狭小な繋ぎ部を残して左右方向に台板分割用スリットを切欠き形成するようにした分電盤用の分岐ブレーカ取付台において、
前記台板の左右両端，および中央部分を盤内のベース板にねじ締結する脚片部として、左右領域のブレーカ取付部分を底上げ台形状に屈曲成形するとともに、前記台板に対し、その上下端縁の一方側にダブテール状の連結突起，他方側に連結突起と同形な連結溝を形成したことを特徴とする分電盤用の分岐ブレーカ取付台。
【請求項２】
請求項１記載の分岐ブレーカ取付台において、繋ぎ部を各脚片部，およびブレーカ取付部の台形コーナー部分に形成したことを特徴とする分電盤用の分岐ブレーカ取付台。
【発明の詳細な説明】
【０００１】
【発明の属する技術分野】
この発明は、主として電灯分電盤を実施対象に、分電盤用に組み込んだ分岐ブレーカを盤内に固定するためのブレーカ取付台に関する。
【０００２】
【従来の技術】
まず、頭記した分電盤の構成を図３に示す。図において、１は分電盤のパネルボックス、２は前面外扉、３は内扉であり、パネルボックス１の盤内背面側に設けたベース板４の前面には配線用遮断器（漏電ブレーカ）５，配線用遮断器５から引出して盤内中央で縦向きに配線した主幹ブスバー６，および主幹ブスバー６を中央に挟んでその左右両側に分散配列してブスバー６に接続した複数回路数分の分岐ブレーカ７が組み込まれており、かつ各分岐ブレーカ７は詳細構造を後記する多連形の取付台８を介してベース板４に固定されている。なお、内扉３の扉面には配線用遮断器５，および左右２列に並ぶ分岐ブレーカ５の配列に合わせて各ブレーカの開閉ハンドル７ａが突き出る窓穴３ａ，３ｂが開口している。
【０００３】
次に、前記した分岐ブレーカ７を盤内に固定する取付台８の従来構造を図４(a),(b) に示す。すなわち、従来の取付構造では左右２列に並ぶ分岐ブレーカ７の配列ピッチに合わせて、ベース板４にねじ止めした左右２組の底上げ用レール台（Ｕチャンネル状のレール台）９と、各レール台９ごとにその上に載置してねじ止めした多連形のブレーカ取付板１０との組合せからなる。ここで、ブレーカ取付板１０には、図４(b) で示すように分岐ブレーカ７を１台ずつ左右両側から嵌め込み式に挟持する複数組の係止爪１０ａ（Ｌ字形の固定爪），および１０ｂ（湾曲した可動爪）が切り起こし形成されており、さらに各極間には狭小な繋ぎ部１０ｃを残して左右方向に分割用スリット１０ｄが形成されている。なお、１０ｅは各極ごとにその左右両端に形成したねじ締結溝である。
【０００４】
また、前記のような構成になる多連形のブレーカ取付板１０は、１枚の板に約１０台程度の分岐ブレーカ７が取付けられるように作られており、ブレーカの取付台数に合わせて前記の狭小繋ぎ部１０ｃをカットし、取付板１０の余剰な部分を切り離すようにしている。
【０００５】
【発明が解決しようとする課題】
ところで、前記した従来の分電盤のブレーカ取付構造では、分電盤のパネルボックス１に多数台の分岐ブレーカ７を左右２列に振り分けて組付けるには、左右２組の底上げ用レール台９，および各レール台９ごとに台上にねじ止めしたブレーカ取付板１０の４部品を要するほか、分岐ブレーカ７を固定した状態で各ブレーカの開閉ハンドル７ａが分電盤の内扉３に開口した窓穴３ｂへ突き出すように、各取付板１０ごとにレール台９の上で位置合わせする調整作業が必要となる。このために、分電盤の組立には数多い部品点数と、工数，時間がかかる。
【０００６】
この発明は上記の点に鑑みなされたものであり、その目的は前記課題を解決し、少ない部品点数と簡易な位置合わせ調整で多数台の分岐ブレーカを左右２列に振り分けて組付けることができるように構造を改良した分電盤用の分岐ブレーカ取付台を提供することにある。
【０００７】
【課題を解決するための手段】
この発明においては、分電盤の盤内中央に縦向き配線した主幹ブスバーに沿いその左右両側に配列してブスバーに接続した分岐ブレーカを盤内に固定する多連形のブレーカ取付台であって、台板上の左右両側に振り分けてブレーカ取付領域を設定し、かつ各領域ごとに分岐ブレーカの配列ピッチに合わせて上下段に並ぶブレーカ係止爪を切り起こし形成するとともに、各極の相互間には狭小な繋ぎ部を残して左右方向に台板分割用スリットを切欠き形成するようにした分電盤用の分岐ブレーカ取付台において、前記台板の左右両端，および中央部分を盤内のベース板にねじ締結する脚片部として、左右領域のブレーカ取付部分を底上げ台形状に屈曲成形するとともに、前記台板に対し、その上下端縁の一方側にダブテール状の連結突起，他方側に連結突起と同形な連結溝を形成するようにする。（請求項１）。
【０００８】
このように、左右２列に分けて盤内に並置配列する分岐ブレーカと個々に対応して、１枚の台板の左右領域にブレーカ係止爪を形成することで、従来構造と較べて部品点数，位置合わせ調整が半減し、それだけ分電盤の組立を作業能率よく進めることができる。
また、台板の左右両端，および中央部分を盤内のベース板にねじ締結する脚片部として、左右領域のブレーカ取付部分を底上げ台形状に屈曲成形したので、分岐ブレーカを装着した状態で、盤内に配線した主幹ブスバーと台板に装着した各分岐ブレーカとを略同じ高さレベルで左右に並べることができる。
更に、盤内に組み込む分岐ブレーカの台数が多くて複数枚の台板を連ねて使用する場合には、そのダブテール状の連結突起と連結溝を嵌め合わせて台板間にずれが生じないように一体に連結させることができる。
【０００９】
前記ブレーカ取付台において、盤内に組み込む分岐ブレーカの台数に応じて台板の極間を簡単に切り離すことができ、かつ極間を切り離さない状態では取付台の剛性を確保するように、繋ぎ部を各脚片部，およびブレーカ取付部の台形コーナー部分に形成する（請求項２）。
【００１１】
【発明の実施の形態】
以下、この発明の実施の形態を図１，図２の各実施例に基づいて説明する。なお、実施例の図中で図４に対応する同一部材には同じ符号が付してある。
〔実施例１〕
図１(a),(b) において、主幹ブスバー６の左右両側に配列して分電盤内に組み込んだ分岐ブレーカ７は、この発明による多連形のブレーカ取付台１１を介して盤内のベース板４に装着されている。
【００１２】
ここで、ブレーカ取付台１１は、所定台数の分岐ブレーカ７を一括装着できるようなサイズに選んだ台板１１ａに対して、その板面上の左右両側に振り分けてブレーカ取付領域を設定するととに、分岐ブレーカ７の配列ピッチに合わせて、各領域ごとにブレーカを１台ずつ左右から挟持するように上下段に並ぶブレーカ係止爪１１ｂ（固定爪），および１１ｃ（可動爪）が切り起こし形成されている。また、各極の間には狭小な繋ぎ部１１ｄを残して台板分割用スリット１１ｅが形成されている。さらに、台板１１ａはその左右両端，および中央部分を盤内のベース板４に当てがってねじ締結する脚片部としてここにねじ穴１１ｆを穿孔するとともに、脚片部の間にまたがるブレーカ取付部分が前方に向けてコ字形に突き出すように底上げ台形状に屈曲成形（板金加工）されており、ここで、前記の繋ぎ部１１ｄは、各脚片部の中央，およびブレーカ取付部の屈曲コーナー部分に形成されている。なお、図示例は簡単のために２連形を示しているが、実際の製品では部品のサイズ，重量を勘案して１０連用を標準仕様とし、その左右両側に合計２０台の分岐ブレーカ７を搭載できるように作られている。
【００１３】
かかる構成で、分電盤内に分岐ブレーカ７を左右２列に分けて組付ける際には、まずブレーカ取付台１１を盤内のベース板４にねじ止めし、次にその中央脚片部の前方側に主幹ブスバー６を配線した上で、取付台１１の左右両側に形成した底上げ台形部（ブレーカ取付部）の係止爪１１ｂと１１ｃの間に分岐ブレーカ７を１台ずつ嵌め込んで固定保持する。そして、この状態で分岐ブレーカ７の入力側端子と主幹ブスバー６との間を分岐線１２で接続する。
【００１４】
また、分岐ブレーカ７の設置台数に合わせて取付台１１の余剰部分を切り離す場合には、前記した台形コーナ部分の繋ぎ部１１ｄを切断用工具でカットした後に、台板１１を分割用スリット１１ｅに沿って折り曲げることで簡単に切り離すことができる。
さらに、図示例の構造では、台板１１ａの中央脚片部に対して、上端側の側縁にダブテール状の連結突起１１ｇが、また下端側の側縁には連結突起１１ｇと同じ形状の連結溝１１ｈが形成されている。この構造で、盤内に複数のブレーカ取付台１１を直列に連ねて布設する場合（分岐ブレーカ７の台数が１枚の台板１１では対応し切れない場合）には、前記連結突起１１ｇを別なブレーカ取付台１１の連結溝１１ｈに嵌め合わせる。これにより、左右への位置ずれなしに延長する取付台を一体に連結することができる。
【００１５】
〔実施例２〕
図２はブレーカ取付台１１の応用実施例を示すものである。この実施例は背丈の高い分岐ブレーカの取付けに適用するものであり、台板１１ａには実施例１で述べた底上げ台形部を曲げ加工せずに平坦板のままとし、その板面には図１(b) と同様に、ブレーカ係止爪１１ｂ，１１ｃ，および極間に狭小な繋ぎ部１１ｄ，台板分割用スリット１１ｅが形成されている。
【００１６】
そして、分電盤に組み込む際には、平坦状の台板１１ａをベース板４（図３参照）の上に重ね合わせてねじ止めした上で、その左右領域に切り起こした係止爪１１ｂと１１ｃの間に分岐ブレーカを１台ずつ嵌め込んで係止保持する。
【００１７】
【発明の効果】
以上述べたように、この発明の構成によれば、次記の効果を奏する。
台板上の左右両側に振り分けてブレーカ取付領域を設定するとともに、各領域ごとに分岐ブレーカの配列ピッチに合わせて上下段に並ぶブレーカ係止爪を切り起こし形成するとともに、各極の相互間には狭小な繋ぎ部を残して左右方向に台板分割用スリットを切欠き形成したことことにより、従来構造と較べて分岐ブレーカ組付用の部品点数，および位置合わせ調整が半減して分電盤の組立作業を能率よく進めることができる。
また、台板の左右両端，および中央部分を盤内のベース板にねじ締結する脚片部として、左右領域のブレーカ取付部分を底上げ台形状に屈曲成形したことにより、従来構造における底上げ用のレール台を別部品として用意する必要がなく、部品点数の削減化が図れる。
更に、台板に対し、その上下端縁の一方側にダブテール状の連結突起，他方側に連結突起と同形な連結溝を形成したことにより、分電盤内に複数のブレーカ取付台を連ねて組み込む場合に、連結突起に延長する取付台の連結溝を嵌め合わせることで、左右への位置ずれなしに取付台同士を相互連結できるとともに、位置合わせ調整時には連結した台板を一体部品として扱うことができる。
【００１８】
前記ブレーカ取付台において、繋ぎ部を各脚片部，およびブレーカ取付部の台形コーナー部分に形成したことにより、極間を切り離す場合に繋ぎ部の分断が楽に行え、かつ極間を切り離さない状態では取付台の剛性を確保することができる。
【図面の簡単な説明】
【図１】この発明の実施例１に対応する実施例の構成図であり、(a) は分岐ブレーカを装着した組立状態の側面図、(b) はブレーカ取付台の構造を示す外形斜視図
【図２】この発明の実施例２に対応するブレーカ取付台の外形斜視図
【図３】分電盤の扉開放状態を表す正面斜視図
【図４】図３の分電盤に組み込んだブレーカ取付台の従来構成図であり、(a) は分岐ブレーカを装着した組立状態の側面図、(b) はブレーカ取付台の構造を示す外形斜視図
【符号の説明】
１    分電盤のパネルボックス
３    内扉
４    ベース板
６    主幹ブスバー
７    分岐ブレーカ
１１    ブレーカ取付台
１１ａ  台板
１１ｂ，１１ｃ  係止爪
１１ｄ  繋ぎ部
１１ｅ  台板分割用スリット
１１ｇ  連結突起
１１ｈ  連結溝
【図１】
0003791165.tif 000002
【図２】
0003791165.tif 000003
【図３】
0003791165.tif 000004
【図４】
0003791165.tif 000005